(57)【特許請求の範囲】
【請求項１】
配電盤の配線設計を支援する３次元図形作成システムにおいて、
前記配電盤を構成する各ダクトの配置、各電気器具の配置に基づき、各配線の合計配線長、束線、および交差数を最適化させつつ配線設計を実行する設計手段を備え、
前記設計手段は、
配電盤組立図形中から複数の配線ダクトによって構成される配線ダクト図形を読み出し、この配線ダクト図形中から、ダクトの長さ、結合位置に基づき、主要な配線経路をツリー状に表現した主要配線経路ツリーを作成する機能と、
作成された主要配線経路ツリーから配線作業の中心となる器具図形を選択し、この中心となる器具の情報である中心器具情報、および関連情報を中心として配線の入口ダクト毎、出口ダクト毎に配線をグループ化し、各グループ毎に使用する入口ダクトから出口ダクトまでの最短ルートを求め、最短ルートに属する各配線の配線長を求め、各配線長の総和を合計配線長として求めることによって処理対象グループに属する各最短ルートの合計配線長を求め、各グループ毎に求められた合計配線長が最も短いものを最適ルートする合計配線長最適化処理機能と、
作業の中心となる電気器具からの各配線が最も多く通る最多通過ダクトを求め、この最多通過ダクトを通らない配線グループがあるとき、この配線グループに属する各配線のうち、最多通過ダクトを通し得る配線のルートを変更し、前記最多通過ダクトを通すように、配線ルートをまとめる束線最適化処理機能と、
配線グループ内における配線同士の交差数を求め、この交差数が最少となるように、配線ルートを変更する交差除去処理機能と
を備えることを特徴とする３次元図形作成システム。
【発明の詳細な説明】
【０００１】
【発明の属する技術分野】
本発明は、配電盤の配線設計を支援する３次元図形作成システムに関する。
【０００２】
【従来の技術】
配電盤などを製作する方法の１つとして、従来、３次元図形作成システムを使用して、配線図形を作成する方法が知られている。
【０００３】
この３次元図形作成システムを使用して、配線図形を作成する場合、まず配電器具の図形を配置した後、製造作業の中心となる配電器具から他の配電器具に対する配線を全て把握した上で、作業中心となる配電器具から他の配電器具に対する全配線の合計長、電線の分岐数、束線数のバランスなどを最適化させながら、配線ダクトの許容量、配線ルートの交差などの制約を満たすべく配慮して、配線ルートを決定した後、個々の配線が通るべき点をプロットしながら、３次元配線図形を作成する。
【０００４】
【発明が解決しようとする課題】
しかしながら、このような３次元図形作成システムにおいては、３次元配線図形を作成するとき、設計者が全配線の合計長、電線の分岐数、束線数のバランスなどを考慮しながら、配線作業を進めなければならないことから、各設計者によって配線ルートが異なったり、配線作業が非常に煩雑になったりするという問題があった。
【０００５】
本発明は上記の事情に鑑み、３次元配線図を作成するとき、人間系に頼ることなく、均質な３次元配線図を作成することができ、これによって配線の作業効率を飛躍的に向上させることができる３次元図形作成システムおよび配線ルート最適化方法を提供することを目的としている。
【０００６】
【課題を解決するための手段】
上記の目的を達成するために本発明は、配電盤の配線設計を支援する３次元図形作成システムにおいて、前記配電盤を構成する各ダクトの配置、各電気器具の配置に基づき、各配線の合計配線長、束線、および交差数を最適化させつつ配線設計を実行する設計手段を備え、前記設計手段は、配電盤組立図形中から複数の配線ダクトによって構成される配線ダクト図形を読み出し、この配線ダクト図形中から、ダクトの長さ、結合位置に基づき、主要な配線経路をツリー状に表現した主要配線経路ツリーを作成する機能と、作成された主要配線経路ツリーから配線作業の中心となる器具図形を選択し、この中心となる器具の情報である中心器具情報、および関連情報を中心として配線の入口ダクト毎、出口ダクト毎に配線をグループ化し、各グループ毎に使用する入口ダクトから出口ダクトまでの最短ルートを求め、最短ルートに属する各配線の配線長を求め、各配線長の総和を合計配線長として求めることによって処理対象グループに属する各最短ルートの合計配線長を求め、各グループ毎に求められた合計配線長が最も短いものを最適ルートする合計配線長最適化処理機能と、作業の中心となる電気器具からの各配線が最も多く通る最多通過ダクトを求め、この最多通過ダクトを通らない配線グループがあるとき、この配線グループに属する各配線のうち、最多通過ダクトを通し得る配線のルートを変更し、前記最多通過ダクトを通すように、配線ルートをまとめる束線最適化処理機能と、配線グループ内における配線同士の交差数を求め、この交差数が最少となるように、配線ルートを変更する交差除去処理機能とを備えることを特徴としている。
【０００７】
請求項２では、配電盤を構成する各ダクトの配置、各電気器具の配置に基づき、各配線の合計配線長、束線、および交差数を最適化させつつ配線設計を実行して配電盤の配線ルートを最適化する方法であって、配電盤組立図形中から複数の配線ダクトによって構成される配線ダクト図形を読み出し、この配線ダクト図形中から、ダクトの長さ、結合位置に基づき、主要な配線経路をツリー状に表現した主要配線経路ツリーを作成する工程と、作成された主要配線経路ツリーから配線作業の中心となる器具図形を選択し、この中心となる器具の情報である中心器具情報、および関連情報を中心として配線の入口ダクト毎、出口ダクト毎に配線をグループ化し、各グループ毎に使用する入口ダクトから出口ダクトまでの最短ルートを求め、最短ルートに属する各配線の配線長を求め、各配線長の総和を合計配線長として求めることによって処理対象グループに属する各最短ルートの合計配線長を求め、各グループ毎に求められた合計配線長が最も短いものを最適ルートする合計配線長最適化処理工程と、作業の中心となる電気器具からの各配線が最も多く通る最多通過ダクトを求め、この最多通過ダクトを通らない配線グループがあるとき、この配線グループに属する各配線のうち、最多通過ダクトを通し得る配線のルートを変更し、前記最多通過ダクトを通すように、配線ルートをまとめる束線最適化処理工程と、各配線ルートの交差数を求め、この交差数が最少となるように、配線ルートを変更する交差除去処理工程と、
を備えることを特徴としている。
【００１０】
上記の構成によれば、配電盤を構成する各ダクトの配置、各電気器具の配置に基づき、各配線の合計長、分岐、束線、交差数を最適化させながら、配線設計を行うことにより、３次元配線図を作成するとき、人間系に頼ることなく、均質な３次元配線図を作成して、配線の作業効率を飛躍的に向上させる。
また、製造作業の中心となる電気器具からの各配線に対する最短ルートを求めた後、製造作業の中心となる電気器具と反対端にある出口ダクト毎に配線をグループ化し、各グループ毎の合計配線長が最少となるように、各配線のルートをまとめることにより、３次元配線図を作成するとき、人間系に頼ることなく、各ダクトの出口毎の配線長が最少にし得る３次元配線図を作成して、配線の作業効率を飛躍的に向上させる。
さらに、製造作業の中心となる電気器具からの各配線が最も多く通る最多通過ダクトを求め、この最多通過ダクトを通らない配線グループがあるとき、この配線グループに属する各配線のうち、最多通過ダクトを通し得る配線のルートを変更し、前記最多通過ダクトを通すように、配線ルートをまとめることにより、３次元配線図を作成するとき、人間系に頼ることなく、最も多くの配線が通るダクトに最も多くの配線を通し得る３次元配線図を作成して、配線の作業効率を飛躍的に向上させる。
さらに、グループ内の配線同士の交差数を求め、この交差数が最少となるように、配線ルートを変更することにより、３次元配線図を作成するとき、人間系に頼ることなく、交差数が最も少なくなるように配線を通し得る３次元配線図を作成して、配線の作業効率を飛躍的に向上させる。
【００１４】
【発明の実施の形態】
図１は本発明による３次元図形作成システムの一実施形態を示すブロック図である。
【００１５】
この図に示す３次元図形作成システム１は、入力装置２と、この入力装置２から出力される各種指令、各種データ、予めインストールされているＯＳ、３次元図形作成プログラムなどに基づき、製造対象となる配電盤全体の３次元図形を作成する３次元図形作成装置３と、この３次元図形作成装置３で作成された盤組立図形データなどを使用して、３次元図形の配線ルートを最適化する配線ルート最適化装置４と、この配線ルート最適化装置４の処理画面、３次元図形作成装置３の処理画面などを表示するディスプレイ装置５とを備えている。
【００１６】
そして、設計者によって、入力装置２が操作されて、配電盤図形の作成指示が入力されたとき、３次元図形作成装置３によって、製造対象となる配電盤全体の３次元図形を作成するとともに、３次元図形作成処理で得られた盤組立図形データなどに基づき、配線ルート最適化装置４によって、３次元図形の配線ルートを最適化する。
【００１７】
入力装置２は、キーボードやマウスなどを備えており、設計者などによって、キーボードやマウスなどが操作されたとき、操作内容に応じた各種指令、各種データを生成し、これを３次元図形作成装置３に供給する。
【００１８】
３次元図形作成装置３は、ＣＰＵ、マザーボード、前記ＣＰＵの作業エリアなどとして使用されるメモリボード、前記ＣＰＵの動作を規定するＯＳのインストールエリア、３次元図形作成プログラムのインストールエリアなどとして使用されるハードディスク機構などを備えており、入力装置２から出力される各種の指令、各種のデータ、ハードディスク機構にインストールされている３次元図形作成プログラムなどに基づき、表示信号を生成して、ディスプレイ装置５に設計画面などを表示しながら、配電盤を製造するのに必要な盤組立図形データ、例えば図２に示すようなパネルの形状などが書き込まれたパネル図形６と、器具の形状などが書き込まれた器具図形７と、配線ダクトの形状などが書き込まれた配線ダクト図形８とによって構成されるパネル組立図形９、このパネル組立図形９と、筐体の形状、組立内容などが書き込まれた筐体組立図形１０と、器具の組立内容などが書き込まれた器具図形１１と、配線ダクトの組立内容などが書き込まれた配線ダクト図形１２とによって構成される盤組立図形１３などを作成し、これをディスプレイ装置５に表示するとともに、盤組立図形１３を配線ルート最適化装置４に供給し、配線ルートを最適化させ、これによって得られた盤組立図形（配線ルートが最適化された盤組立図形）をディスプレイ装置５に表示する。
【００１９】
配線ルート最適化装置４は、ＣＰＵ、マザーボード、前記ＣＰＵの作業エリアなどとして使用されるメモリボード、前記ＣＰＵの動作を規定するＯＳのインストールエリア、３次元配線図形最適化プログラムのインストールエリアなどとして使用されるハードディスク機構などを備えており、図３に示すフローチャートに示すように、入力装置２のキーボード、マウスなどが操作されて、配線ルート最適化指示が入力されたとき、３次元図形作成装置３で作成された盤組立図形１３を取り込んで、ハードディスク機構に格納するとともに（ステップＳＴ１）、ＣＤ−ＲＯＭなどの記録媒体、またはＬＡＮなどを介して、外部アプリケーションプログラムで作成された結線情報を取り込んで、ハードディスク機構に格納した後（ステップＳＴ２）、ハードディスク機構に格納されている盤組立図形１３、結線情報などに基づき、各器具を接続する最適な配線ルートを決定するとともに（ステップＳＴ３）、この決定内容に基づき、配線ルートが最適化された配線図形を作成し、これを３次元図形作成装置３に供給し、ハードディスク機構に格納させる（ステップＳＴ４）。
【００２０】
次に、図４、図７、図９、図１１に示すフローチャート、図５、図６、図８、図１０、図１２、図１３に示す模式図を参照しながら、上述した配線ルート最適化装置４の配線ルート決定処理について、詳細に説明する。
【００２１】
まず、配線ルート最適化装置４のＣＰＵによって、上述した配線ルート決定処理の実行が開始されると、図４のフローチャートに示すように、ハードディスク機構に格納されている盤組立図形１３の配線ダクト図形１２、例えば図５に示すように、複数の配線ダクトによって構成される配線ダクト図形１２が読み出されるとともに（ステップＳＴ１１）、この配線ダクト図形１２で表わされているダクトの長さ、結合位置などに基づき、主要な配線経路をツリー状に表現した主要配線経路ツリー、例えば図６に示すように、各配線ダクトを示す複数の配線ダクトシンボル１４、各配線ダクトの結合点を示す複数の結合位置シンボル１５、各配線ダクトの電線引込位置の候補となる複数の電線引込候補位置シンボル１６などを有する主要配線経路ツリー１７が作成され、これがハードディスク機構に格納される（ステップＳＴ１２）。
【００２２】
次いで、配線ルート最適化装置４のＣＰＵによって、ハードディスク機構に格納されている主要配線経路ツリー１７、結線情報、盤組立図形１３の器具図形１１、パネル組立図形９、筐体組立図形１０、配線ダクト図形１２などが読み出されて、各電線引込候補位置シンボル１６の中から、配線の入口、出口となる引込ダクトと、この引込ダクトの位置を示す引込位置とが求められるとともに（ステップＳＴ１３）、ディスプレイ装置５に器具選択画面を表示させて、各器具図形１１の中から、配線作業の中心となる器具図形１１を選択させた後、この選択操作で指定された内容（中心器具情報）が取り込まれて、ハードディスク機構に格納される（ステップＳＴ１４）。
【００２３】
この後、配線ルート最適化装置４のＣＰＵによって、合計長の最適化処理が開始されて（ステップＳＴ１５）、図７のフローチャートに示すように、ハードディスク機構に格納されている中心器具情報が読み込まれるとともに（ステップＳＴ２１）、ハードディスク機構に格納されている結線情報、盤組立図形１３がルックアップされて、中心器具情報で指定された器具に対する関連情報（配線に関連した設計情報、規約情報など情報）が抽出された後（ステップＳＴ２２）、この関連情報などに基づき、配線の入口ダクト毎、配線の出口ダクト毎に配線のグループ化が行われる（ステップＳＴ２３）。
【００２４】
次いで、配線ルート最適化装置４のＣＰＵによって、各グループの中から、処理対象となるグループ（処理対象グループ）が選択されて（ステップＳＴ２４）、図８に示すように、このグループが使用する入口ダクトから出口ダクトの右端、左端、例えば入口ダクト“Ａ”から出口ダクト“Ｆ”の右端、左端への最短ルートが求められ、これがハードディスク機構に格納される（ステップＳＴ２５）。
【００２５】
この後、配線ルート最適化装置４のＣＰＵによって、ハードディスク機構に格納されている処理対象グループの各最短ルートが読み出されて、その１つが選択されるとともに（ステップＳＴ２６）、この最短ルートに属する各配線が順次、選択されて（ステップＳＴ２７）、その長さ（配線長）が求められ（ステップＳＴ２８）、さらにこれらの各配線長の総和（合計配線長）が順次、求められ、ハードディスク機構に格納される（ステップＳＴ２９）。
【００２６】
以下、配線ルート最適化装置４のＣＰＵによって、処理対象グループに属する最短ルートの選択処理、この最短ルートに属する各配線の合計配線長算出処理が順次、繰り返されて、処理対象グループに属する各最短ルートの合計配線長が順次、求められ、処理結果がハードディスク機構に格納される（ステップＳＴ２６〜ＳＴ３１）。
【００２７】
そして、処理対象グループに属する各最短ルートの合計配線長が得られたとき、配線ルート最適化装置４のＣＰＵによって、ハードディスク機構に格納されている処理対象グループに属する各合計配線長が比較され、最も短い合計配線長となる最短ルートが最適ルートとして、ハードディスク機構に格納される（ステップＳＴ３２）。
【００２８】
以下、配線ルート最適化装置４のＣＰＵによって、残りの各グループ、残りの器具が順次、選択されて、各器具に対する各グループ毎に、上述した最適ルートの算出処理が行われ、算出処理結果がハードディスク機構に格納される（ステップＳＴ２１〜ＳＴ３４）。
【００２９】
この後、配線ルート最適化装置４のＣＰＵによって、図４のフローチャートに示すように、分岐、束線の最適化処理が開始されて（ステップＳＴ１６）、図９のフローチャートに示すように、各器具の１つが中心器具として選択されるとともに（ステップＳＴ４１）、ハードディスク機構に格納されている各器具毎、各グループ毎の最適ルートの中から、中心器具に対応する各最適ルートがどのダクトを通過しているかチェックされ、このチェック結果に基づき、各最適ルートが最も多く通過するダクトが最多通過ダクトと判定される（ステップＳＴ４２）。
【００３０】
次いで、配線ルート最適化装置４のＣＰＵによって、中心器具に対応するグループの１つが処理対象グループとして選択されるとともに（ステップＳＴ４３）、この処理対象グループに属する各最適ルートの１つが処理対象最適ルートとして選択され、この処理対象最適ルートに対する代替ルートが存在するかどうかがチェックされる。
【００３１】
そして、処理対象最適ルートに対する代替ルートが存在していれば（ステップＳＴ４５）、配線ルート最適化装置４のＣＰＵによって、この処理対象最適ルートが最多通過ダクトを通っているかどうかがチェックされ、処理対象最適ルートが最多通過ダクトを通っていなければ（ステップＳＴ４６）、この処理対象最適ルートに対する代替ルートが最多通過ダクトを通過しているかどうかがチェックされる。
【００３２】
この後、処理対象最適ルートに対する代替ルートが最多通過ダクトを通過していれば（ステップＳＴ４７）、配線ルート最適化装置４のＣＰＵによって、図１０に示すように、代替ルートが最適ルートにされて、ハードディスク機構に格納されている処理対象グループの最適ルートが更新される（ステップＳＴ４８）。
【００３３】
以下、配線ルート最適化装置４のＣＰＵによって、残りの各グループ、残りの各器具が順次、選択されて、上述した分岐、束線の最適化処理が繰り返し、行われ、ハードディスク機構に格納されている前記各器具、前記各グループに属する最適ルートが更新される（ステップＳＴ４１〜ＳＴ５０）。
【００３４】
この後、配線ルート最適化装置４のＣＰＵによって、図３のフローチャートに示すように、交差の除去処理が開始されて（ステップＳＴ１７）、図１１のフローチャートに示すように、各器具の１つが中心器具としてとして選択されるとともに、各ダクトの中から、中心器具に対応する各ダクトの１つが処理対象ダクトとして選択される（ステップＳＴ５１）。
【００３５】
次いで、配線ルート最適化装置４のＣＰＵによって、ハードディスク機構に格納されている各器具毎の各グループのうち、処理対象ダクトを通過するグループが選択されて（ステップＳＴ５２）、処理対象ダクトに対する全最適ルートの交差数が求められ、これがハードディスク機構に格納されるとともに（ステップＳＴ５３）、処理対象ダクトに対する交差数が最大となるグループが求められる（ステップＳＴ５４）。
【００３６】
この後、配線ルート最適化装置４のＣＰＵによって、図１２、図１３に示すように、処理対象ダクトに対し、最大交差数となっているグループの各最適ルートが選択され、これらの各最適ルートに対する代替ルートがあれば、これらの各代替ルートが各々、最適ルートにされ、ハードディスク機構に格納されている各器具、各グループに属する各最適ルートが更新される（ステップＳＴ５５）。
【００３７】
次いで、配線ルート最適化装置４のＣＰＵによって、ハードディスク機構に格納されている各器具、各グループに属する各最適ルートが読み出されて、処理対象ダクトに対する全交差数が増加したかどうかがチェックされ、上述した交差除去処理によって、全交差数が減少しているとき、中心器具に対し、残っている各グループのうち、交差数が最大になっているグループが選択され、上述した交差除去処理が繰り返し、行われる（ステップＳＴ５４〜ＳＴ５７）。
【００３８】
そして、ハードディスク機構に格納されている各器具、各グループに属する各最適ルートが読み出されて、処理対象ダクトに対する全交差数が増加したかどうかをチェックしたとき、処理対象ダクトに対する全交差数が増加していれば（ステップＳＴ５７）、配線ルート最適化装置４のＣＰＵによって、最後に行った処理対象グループに対する交差除去処理がキャンセルされて、処理対象グループに対する各最適ルートが元に戻される（ステップＳＴ５８）。
【００３９】
以下、配線ルート最適化装置４のＣＰＵによって、中心器具に対する各ダクトが順次、選択されて、これら各ダクトに対する各グループの交差除去処理が行われる（ステップＳＴ５１〜ＳＴ５９）。
【００４０】
この後、最後のダクトに対する交差除去処理が終了したとき、配線ルート最適化装置４のＣＰＵによって、図３のフローチャートに示すように、各ダクト容量と、これら各ダクトを通過する配線の本数とが比較され、各ダクト容量より、配線の本数が多いダクトがあれば、配線ルートの調整が行われて、配線ルートが最適化される（ステップＳＴ１８）。
【００４１】
このようにこの実施形態においては、入力装置２のキーボード、マウスなどが操作されて、配線ルート最適化指示が入力されたとき、３次元図形作成装置３で作成された盤組立図形１３、外部アプリケーションプログラムで作成された結線情報などに基づき、ダクト図形の検出処理、主要経路ツリー作成処理、引込ダクト、位置検出処理、作業中心機器の取得処理、合計長の最適化処理、分岐、束線の最適化処理、交差の除去処理、ダクト容量チェック処理を順次、行って、各器具を接続する最適な配線ルートを決定し、配線図形を作成するようにしているので、３次元配線図を作成するとき、人間系に頼ることなく、均質な３次元配線図を作成することができ、これによって配線の作業効率を飛躍的に向上させることができる。
【００４２】
また、この実施形態では、各出口ダクト毎に配線をグループ化して、配線長を最適化させるようにしているので、３次元配線図を作成するとき、人間系に頼ることなく、各ダクトの出口毎の配線長が最少にし得る３次元配線図を作成することができ、これによって配線の作業効率を飛躍的に向上させることができる。
【００４３】
また、この実施形態では、各グループ毎に、できるだけ配線をまとめて、各ダクトに配線が散らばらないようにしているので、３次元配線図を作成するとき、人間系に頼ることなく、最も多くの配線が通るダクトに最も多くの配線を通し得る３次元配線図を作成することができ、これによって配線の作業効率を飛躍的に向上させることができる。
【００４４】
さらに、この実施形態では、各グループ毎に、できるだけ交差数が少なくなるように配線ルートを調整するようにしているので、３次元配線図を作成するとき、人間系に頼ることなく、交差数が最も少なくなるように配線を通し得る３次元配線図を作成することができ、これによって配線の作業効率を飛躍的に向上させることができる。
【００４５】
【発明の効果】
以上説明したように本発明によれば、３次元配線図を作成するとき、人間系に頼ることなく、均質な３次元配線図を作成することができ、これによって配線の作業効率を飛躍的に向上させることができる。
また、３次元配線図を作成するとき、人間系に頼ることなく、各ダクトの出口毎の配線長が最少にし得る３次元配線図を作成することができ、これによって配線の作業効率を飛躍的に向上させることができる。
さらに、３次元配線図を作成するとき、人間系に頼ることなく、最も多くの配線が通るダクトに最も多くの配線を通し得る３次元配線図を作成することができ、これによって配線の作業効率を飛躍的に向上させることができる。
さらに、３次元配線図を作成するとき、人間系に頼ることなく、交差数が最も少なくなるように配線を通し得る３次元配線図を作成することができ、これによって配線の作業効率を飛躍的に向上させることができる。
【図面の簡単な説明】
【図１】本発明による３次元図形作成システムの一実施形態を示すブロック図である。
【図２】図１に示す３次元図形作成システムで作成される盤組立図形データの構成例を示す模式図である。
【図３】図１に示す配線ルート最適化装置の主要動作例を示すフローチャートである。
【図４】図１に示す配線ルート最適化装置の配線ルート決定動作例を示すフローチャートである。
【図５】図１に示す配線ルート最適化装置で主要経路ツリーを作成するのに必要な元の盤組立図形例を示す模式図である。
【図６】図１に示す配線ルート最適化装置で作成される主要経路ツリー例を示す模式図である。
【図７】図１に示す配線ルート最適化装置で行われる合計長の最適化処理例を示すフローチャートである。
【図８】図１に示す配線ルート最適化装置で行われる合計長の最適化処理例を示す模式図である。
【図９】図１に示す配線ルート最適化装置で行われる分岐、束線の最適化処理例を示すフローチャートである。
【図１０】図１に示す配線ルート最適化装置で行われる分岐、束線の最適化処理例を示す模式図である。
【図１１】図１に示す配線ルート最適化装置で行われる交差の除去処理例を示すフローチャートである。
【図１２】図１に示す配線ルート最適化装置で行われる交差の除去処理例を示す模式図である。
【図１３】図１に示す配線ルート最適化装置で行われる交差の除去処理例を示す模式図である。
【符号の説明】
１：３次元図形作成システム
２：入力装置
３：３次元図形作成装置
４：配線ルート最適化装置
５：ディスプレイ装置
６：パネル図形
７：器具図形
８：配線ダクト図形
９：パネル組立図形
１０：筐体組立図形
１１：器具図形
１２：配線ダクト図形
１３：盤組立図形
１４：配線ダクトシンボル
１５：結合位置シンボル
１６：電線引込候補位置シンボル
１７：主要配線経路ツリー
【図１】
0003880790.tif 000002
【図２】
0003880790.tif 000003
【図３】
0003880790.tif 000004
【図４】
0003880790.tif 000005
【図５】
0003880790.tif 000006
【図６】
0003880790.tif 000007
【図７】
0003880790.tif 000008
【図８】
0003880790.tif 000009
【図９】
0003880790.tif 000010
【図１０】
0003880790.tif 000011
【図１１】
0003880790.tif 000012
【図１２】
0003880790.tif 000013
【図１３】
0003880790.tif 000014